(57)【要約】      （修正有）【課題】町内会等で使用するごみネット収納装置において、巻き取られるごみネットが軸に偏って巻き取られず均一に巻き取ることができて形状が小さく、その軸の構造が簡単で安価に製造できる巻き取り式ごみネット収納装置を提供する。【解決手段】水平に箱体２内に設けた巻取軸１０と、集積されるごみ袋に掛けるごみネット１３と巻取軸１０を結ぶロープと、ハンドルを手で回すことによりごみネット１３が巻取軸１０に巻き取られる収納装置１において、巻取軸１０は左右一対の円筒状の丸軸部１１と、該丸軸部１１の間の両端が広く中央部が狭い鼓形状の板である巻取板１２とした。【選択図】図３
0003164175.tif 000002
【実用新案登録請求の範囲】
【請求項１】
正面となる側面２ｂに開閉可能な扉３を設けた箱体２と、扉３を設けた側面２ｂと平行かつ水平に箱体２内に設けた巻取軸１０と、集積されるごみ袋３０に掛けるごみネット１３と巻取軸１０を結ぶロープ１４と、箱体２外に巻取軸１０に連結し着脱自在なハンドル１５を設け、そのハンドル１５を手で回すことによりごみネット１３が巻取軸１０に巻き取られる収納装置１において、巻取軸１０は左右一対の円筒状の丸軸部１１と、丸軸部１１の間の両端が広く中央部が狭い鼓形状の板である巻取板１２とし、丸軸部１１は正面につながる両側面２ｂに設けた一対の軸受２ｃに自由に回転するよう固定した巻き取り式ごみネット収納装置。
【考案の詳細な説明】
【技術分野】
【０００１】  本考案は、町内会等で使用するごみネット収納装置であって、ごみ集積所に集積されるごみ袋が、カラスや猫等に引き破られ及び風による散乱するのを防ぐとともに、道路や歩道での通行障害を最小限に抑え、景観を損なわないごみネット収納装置に関する。
【背景技術】
【０００２】  ごみ袋がカラスや猫等に引き破られ及び風による散乱するのを防ぐために、ごみ集積所に集積されるごみ袋に掛けるごみネットは広く使用されている。一般的に、そのごみネットが使用されないときには、買物籠のようなものに丸めて畳んで押し込まれており、大きなごみネットを丸めて畳むのは容易でなく、また乱雑に押し込まれたごみネットが景観を損ねていた。また、降雪時にごみネットに雪が積もり、使用時に除雪する必要があった。【０００３】  このようなごみネットを使用後には、簡単にごみネットを折り畳んで収納できる、または巻き取って収納できる、ごみネット収納装置が知られている。【０００４】  例えば、特許第２６０９０６８号公報に示されるように、ごみ袋の山を覆う網体の周縁部に沿って重りを止着し、かつ該網体の略中心部に紐材の一端を接続し、該紐材の他端を奥行き方向に長い収納袋の一端開口に挿入し、同収納袋他端に設けた引出し孔から外部へ引き出して成るものが知られている。【０００５】  この発明によれば、紐材を引っ張ることにより収納袋の中に網体を折り畳んで引き込むことができるので、極めて簡単に収納することができるとされている。【０００６】  また、特許第３４９１２６２号公報に示されるように、ネットの縁枠下側の一部に棒を取り付けてゴミ集積ネットを構成、正面の蓋が下方に開くそのゴミ集積ネットの収納ケースを固定用柱に取り付け、そのケース上部の左右の壁には棒を差し込み固定できる溝を設け、ケース下部にネットとネットが縫合されてなるネットの上部を固定、そのケースから垂らしたネットの長さがケースから地面の高さより長いものである。【０００７】  この発明によれば、最少のスペースで、設置場所や条件に左右することなく設置することが可能で、通行、交通を邪魔することも少なく、住民の設置反対を最小限に食い止め、美観を損なわずにカラスや野良猫の害から防げるだけでなく、洗浄、乾燥も簡単になり、手も汚しませんとされている。【０００８】  また、意匠登録第１３４８０２４号公報に示されるように、ごみ集積場所におけるカラス等の鳥害防止のためのごみ集積装置で、上部にネットを巻回し、下部に蛇腹板を巻回し、この蛇腹板は、箱体内底部上面に三等配にて設けられる転動体上面に接して位置する軸と円板よりなる回転体に巻回され、使用時には前板に設けたスリットより蛇腹板を引き出して金具を互いに係合させて区画空間を出現させ、該空間上部にネットをかぶせるもので、この区画空間内にゴミ袋を投入するものが知られている。
【先行技術文献】
【特許文献】
【０００９】
【特許文献１】特許第２６０９０６８号公報
【特許文献２】特許第３４９１２６２号公報
【特許文献３】意匠登録第１３４８０２４号公報
【考案の概要】
【考案が解決しようとする課題】
【００１０】  上記の、特許第２６０９０６８号公報に示されるものでは、収納袋の中に簡単に収納することができるが、収納袋そのものの収納が考慮されていないため、ごみネットを収納した収納袋が遺失してしまう虞がある。また、降雪地帯では雪に埋もれて見失う虞がある。【００１１】  また、特許第３４９１２６２号公報に示されるものでは、着脱式の収納補助棒にごみネットを巻き掛けて収納するものであるが、非力なお年寄りや女性が一人で収納補助棒と共にごみネットを持ち上げ収納補助棒を溝に差し込むのは容易でない。【００１２】  また、意匠登録第１３４８０２４号公報に示されるものでは、ごみネットが箱体外のハンドルを手で回すことにより、箱体内の水平方向の一様な四角柱状の軸に巻き取られるものであり、上記の課題を解決するものである。【００１３】  しかし、一様な四角柱状の軸にごみネットを巻き取ると、巻き取られるごみネットが軸に垂直方向に在るとは限らず、偏って巻き取られて全てを巻き取れないで止まってしまう虞がある。また、偏って巻き取られても良いようにすると大きな収納装置となってしまう。【００１４】  そこで本考案は、巻き取られるごみネットが軸に偏って巻き取られず均一に巻き取ることができて形状が小さく、その軸の構造が簡単で安価に製造できる巻き取り式ごみネット収納装置を提供することを目的とする。
【課題を解決するための手段】
【００１５】  請求項１の考案の巻き取り式ごみネット収納装置は、正面となる側面２ｂに開閉可能な扉３を設けた箱体２と、扉３を設けた側面２ｂと平行かつ水平に箱体２内に設けた巻取軸１０と、集積されるごみ袋３０に掛けるごみネット１３と巻取軸１０を結ぶロープ１４と、箱体２外に巻取軸１０に連結し着脱自在なハンドル１５を設け、そのハンドル１５を手で回すことによりごみネット１３が巻取軸１０に巻き取られる収納装置１において、巻取軸１０は左右一対の円筒状の丸軸部１１と、丸軸部１１の間の両端が広く中央部が狭い鼓形状の板である巻取板１２とし、丸軸部１１は正面につながる両側面２ｂに設けた一対の軸受２ｃに自由に回転するよう固定したものである。
【考案の効果】
【００１６】  請求項１の考案によれば、巻取軸１０は左右一対の円筒状の丸軸部１１と、丸軸部１１の間の両端が広く中央部が狭い鼓形状の板である巻取板１２とし、丸軸部１１は正面につながる両側面２ｂに設けた一対の軸受２ｃに自由に回転するよう固定したから、ロープ１４とごみネット１３は自然に巻取軸１０の巻取板１２の中央部に巻き取られ、ごみネット１３を均一に巻き取ることができる。また、ごみネット１３を均一に巻き取ることができるから、収納装置１の形状を小さくできる。【００１７】  また、巻取軸１０は両端が広く中央部が狭い鼓形状の板である巻取板１２としたから、構造が簡単で安価に製造できる。
【図面の簡単な説明】
【００１８】
【図１】  図１は巻き取り式ごみネット収納装置の実施例１を示す正面図である。
【図２】  図２は図１の側面図である
【図３】  図３は図１の縦断面図である。
【図４】  図４は図１の斜視図である。
【図５】  図５は図１の使用状態を模式的に示す斜視図である。
【図６】  図６は図１の別な使用状態を模式的に示す斜視図である。
【図７】  図７は図５の一部を切り欠いた側面図である。
【図８】  図８は図５の一部を切り欠いた平面図である。
【図９】  図９は図７のごみネットを収納した状態を示す面図である。
【図１０】  図１０はハンドルの平面図である。
【図１１】  図１１は巻取軸にハンドルを取り付けた状態を示す平面図である。
【考案を実施するための形態】
【実施例１】
【００１９】  図１は、本考案の実施例１に係る巻き取り式ごみネット収納装置１である。【００２０】  この収納装置１は、ごみ集積所に集積されるごみ袋３０にごみネット１３を掛けて、カラスや猫等に引き破られ及び風による散乱するのを防ぐとともに、比較的小さくして道路や歩道での通行障害を最小限に抑え、突出物を極力無くして不測の傷害を防止し、ごみネットを収納して景観を損なわない、町内会等で使用するものである。【００２１】  収納装置１には、水平方向の一枚の屋根面２ａと垂直方向の四枚の側面２ｂとからなり底面が開放の箱体２と、道路や歩道上に載置され収納装置１が強風により転倒しないための基礎ブロック４とからなる。【００２２】  基礎ブロック４は、市販の軽量コンクリートブロックで、厚さ１００ｍｍ、横１９０ｍｍ、高さ３９０ｍｍの大きさのもので、その軽量コンクリートブロックを３枚並べて平面視で横幅３９０ｍｍ、奥行き５７０ｍｍの大きさとする。基礎ブロックの横幅３９０ｍｍの側を正面とする。【００２３】  ここで基礎ブロック４を載置されるようにしたのは、実際には収納装置１が公共歩道上に置かれることが多いと思われ、必要に応じて移動可能とするためであり、かつ車輪付のように容易に移動可能とした場合の盗難の虞を除くためである。【００２４】  箱体２は薄い鋼板製で、箱体２の平面視は基礎ブロック４の平面視よりやや大きくして、基礎ブロック４に被さるようにする。箱体２の側面２ｂ内側下方に、基礎ブロック４に接当して箱体２がそれ以上に下がらないようにし、水平方向の小さな面を有する接当板２ｄを設ける。実施例では、箱体２が基礎ブロック４に５０ｍｍ被さるようにし、箱体２と基礎ブロック４を合わせた高さが７５０ｍｍとなるように、比較的小さくした。【００２５】  箱体２には、正面となる側面２ｂに開口を設け、その開口を塞ぎ蝶番３ａにより水平方向に回動して開閉可能な扉３を設ける。【００２６】  扉３を設けた側面２ｂと平行かつ水平に箱体２内に巻取軸１０を設ける。実施例では巻取軸１０位置を、屋根面２ａの下方１７０ｍｍ、背面となる側面２ｂから手前に１７０ｍｍとしたが、巻き取るごみネット１３の大きさに合わせて適宜調節すると良い。【００２７】  巻取軸１０は左右一対の円筒状の丸軸部１１と、丸軸部１１の間の両端が広く中央部が狭い鼓形状の板である巻取板１２とする。【００２８】  左右一対の管状の丸軸部１１には、その内方に長手方向の切り込みと、その切り込みと直行する方向の貫通する固定孔を設ける。【００２９】  鼓形状の板である巻取板１２は、両端が広く中央部が狭くなるよう円弧状で対称に形成する。実施例では、巻取板１２の幅が約４１０ｍｍ、両端の幅が約３００ｍｍ、中央部の幅が１００ｍｍ、厚さが４．５ｍｍとした。【００３０】  巻取板１２の両端中央部には矩形の切欠きを設けて軸受２ｃとの干渉を避け、巻取板１２の中央にはロープ１４を結ぶための取付孔１２ａを設ける。【００３１】  巻取板１２の両端中央部に丸軸部１１の切り込みがはまり込み固定され、一体の巻取軸１０とする。【００３２】  箱体２の正面につながる両側面２ｂ内側に一対の軸受２ｃを設け、丸軸部１１は軸受２ｃにより自由に回転するよう固定する。【００３３】  集積されるごみ袋３０に掛けるごみネット１３は、カラス避けのために目の細かい市販のもので、周囲に錘紐が廻らされていて小動物が持ち上げられないようになっており、大きさが縦３メートル横４メートル程度のものである。【００３４】  ごみネット１３と巻取軸１０を結ぶロープ１４は細くて柔らかい樹脂紐であり、ロープ１４の一端はごみネット１３の中心に結ばれ、もう一端が巻取板１２の取付孔１２ａに結ばれる。ロープ１４の長さはごみネット１３を集積されるごみ袋３０に掛けたとき巻取軸１０との間にやや余裕のある長さとする。【００３５】  箱体２外から巻取軸１０に連結し着脱自在なハンドル１５を設ける。ハンドル１５は、丸棒をクランク状に曲げたもので、その一端には長手方向に幅が５ｍｍの切り込み１５ａを設ける。ハンドル１５は巻取軸１０の左右いずれからも連結可能で、ハンドル１５の切り込み１５ａに巻取軸１０の巻取板１２がはまり込み、回転を伝えられるようにする。【００３６】  ２０は市販のネットサークルで、ネットサークル２０内に積み上げられたごみ袋３０が崩れないように押さえるものである。【００３７】  次に、収納装置１の使用方法を説明する。【００３８】  図５に示すのは、ネットサークル２０を使用した場合を示すもので、収納装置１の扉３を開けてネットサークル２０を取り出して展開し、ネットサークル２０内にごみ袋３０を集積し、ごみネット１３の端部を手で引き出してごみ袋３０とネットサークル２０にごみネット１３を掛ける。【００３９】  ごみ袋３０が運び出されたなら、図８に示すように、ハンドル１５を巻取軸１０に連結し、そのハンドル１５を手で回すことによりごみネット１３が巻取軸１０に巻き取られ、収納装置１内に収納される。ハンドル１５は取り外して収納装置１内に収納する。【００４０】  続いて、ネットサークル２０を手で折り畳み、紐で縛って収納装置１内に収納し、扉３を閉めて収納が完了する。【００４１】  図６に示すのは、ネットサークル２０を使用しない場合を示すもので、収納装置１の扉３を開けてごみネット１３の端部を手で引き出してごみ袋３０にごみネット１３を掛ける。【００４２】  ごみ袋３０が運び出されたなら、図８に示すように、ハンドル１５を巻取軸１０に連結し、そのハンドル１５を手で回すことによりごみネット１３が巻取軸１０に巻き取られ、収納装置１内に収納される。ハンドル１５は取り外して収納装置１内に収納し、扉３を閉めて収納が完了する。【００４３】  以上の実施例では、扉３が水平方向に回動して開閉する例を示したが、垂直方向に回動して開閉するようにしても良い。【００４４】  また、ロープ１４の一端がごみネット１３の中心に結ばれる例を示したが、ロープ１４をごみネット１３の端部に結ぶようにしても良い。【００４５】  また、巻取軸１０が円筒状の丸軸部１１でハンドル１５が丸棒であり、ハンドル１５が丸軸部１１にはまり込んで連結する例を示したが、丸軸部１１が無垢でハンドル１５が管状で丸軸部１１がハンドル１５にはまり込んで連結するようにしても良い。
【符号の説明】
【００４６】１    収納装置
２    箱体
２ｂ  側面
２ｃ  軸受
３    扉
１０  巻取軸
１１  丸軸部
１２  巻取板
１３  ごみネット
１４  ロープ
１５  ハンドル
３０  ごみ袋
【図１】
0003164175.tif 000003
【図２】
0003164175.tif 000004
【図３】
0003164175.tif 000005
【図４】
0003164175.tif 000006
【図５】
0003164175.tif 000007
【図６】
0003164175.tif 000008
【図７】
0003164175.tif 000009
【図８】
0003164175.tif 000010
【図９】
0003164175.tif 000011
【図１０】
0003164175.tif 000012
【図１１】
0003164175.tif 000013